(57)【要約】【課題】  本発明は、検索結果と検索結果の特定の番組を含む番組表との関連を容易に把握することができる番組情報表示装置を提供することを目的とする。【解決手段】  本発明の番組情報表示装置は、複数の番組情報を記憶する記憶手段と、複数の番組情報から検索条件に合致する番組情報を検索する検索手段と、検索された番組情報を出力する検索結果出力手段とを備え、複数の番組情報の出力と同時に、検索された番組情報を出力するように構成したことを特徴とする。【選択図】      図３
2010074763.tif 000002
【特許請求の範囲】
【請求項１】
複数の番組情報を記憶する記憶手段と、
前記記憶手段に記憶されている前記複数の番組情報から検索条件に合致する番組情報を検索する検索手段と、
前記検索手段により検索された番組情報を出力する検索結果出力手段と
を備え、
前記複数の番組情報の出力と同時に前記検索結果出力手段による前記検索された番組情報を出力するように構成したことを特徴とする番組情報表示装置。
【請求項２】
前記検索結果出力手段は、前記検索手段により検索された番組情報をまとめて複数出力することができることを特徴とする請求項１記載の番組情報表示装置。
【請求項３】
前記検索結果出力手段による複数の前記番組情報のうち、特定の番組情報に含まれる放送日時及びチャンネル情報を基準として、前記複数の番組情報の出力を行うことを特徴とする請求項２記載の番組情報表示装置。
【請求項４】
前記複数の番組情報の出力は、表示画面に表示させるものであって、
前記検索結果出力手段による複数の前記番組情報のうち、特定の番組情報に相当する番組情報を、前記複数の番組情報の出力では、前記表示画面の左上に表示されるように出力することを特徴とする請求項３記載の番組情報表示装置。
【請求項５】
前記検索された番組情報のうち特定の番組情報を選択する選択手段と、
前記選択手段で選択された前記特定の番組情報が、前記検索された番組情報及び前記複数の番組情報の出力が同時に出力された場合に重複するか否かをチェックする出力チェック手段と、
前記出力手段のチェック結果により重複している場合には、前記特定の番組情報を、前記表示画面の左上に表示されるように出力することを特徴とする請求項４記載の番組情報表示装置。
【請求項６】
前記複数の番組情報の出力のうち所定の番組情報に対して、既予約番組であることを示す出力を行うことを特徴とする請求項１記載の番組情報表示装置。
【発明の詳細な説明】
【技術分野】
【０００１】
本発明は、番組情報をまとめて表示する番組情報表示装置に関する。
【背景技術】
【０００２】
番組表から複数のジャンル検索画面結果を表示した状態で、ユーザが特定の番組を選択すると、ガイド表示ボタンが表示され、ユーザがガイド表示ボタンを押すと、ユーザが特定した番組を中心にチャンネルと時刻とからなる番組表を表示する番組情報表示装置が知られている(特許文献１)。
【０００３】
しかしながら、該装置では、ユーザは、選択した特定の番組と同時に特定の番組と同じの時間帯に放送される他の番組を確認できるが、検索結果を見るためには、検索結果画面に戻る必要があり、ユーザにとっては検索結果と検索結果の特定の番組を含む番組表との関連を把握しづらいという問題点があった。
【特許文献１】特開2001-346115号公報
【発明の開示】
【発明が解決しようとする課題】
【０００４】
従来の装置は、ユーザが検索結果と検索結果の特定の番組を含む番組表との関連を把握しづらいという問題点があった。
本発明は、検索結果と検索結果の特定の番組を含む番組表との関連を容易に把握することができる番組情報表示装置を提供することを目的とする。
【課題を解決するための手段】
【０００５】
上記目的を達成するために、本発明の番組情報表示装置は、複数の番組情報を記憶する記憶手段と、
前記記憶手段に記憶されている前記複数の番組情報から検索条件に合致する番組情報を検索する検索手段と、
前記検索手段により検索された番組情報を出力する検索結果出力手段と
を備え、
前記複数の番組情報の出力と同時に前記検索結果出力手段による前記検索された番組情報を出力するように構成したことを特徴とする。
そして、ユーザは、複数の番組情報の出力(番組表)と検索された番組情報(検索結果)とを同時に見ることができるので、検索結果と検索結果の特定の番組を含む番組表との関連を容易に把握することができる。
【０００６】
また、前記検索結果出力手段は、前記検索手段により検索された番組情報をまとめて複数出力することができることを特徴とする。
また、前記検索結果出力手段による複数の前記番組情報のうち、特定の番組情報に含まれる放送日時及びチャンネル情報を基準として、前記複数の番組情報の出力を行うことを特徴とする。
【０００７】
また、前記複数の番組情報の出力は、表示画面に表示させるものであって、
前記検索結果出力手段による複数の前記番組情報のうち、特定の番組情報に相当する番組情報を、前記複数の番組情報の出力では、前記表示画面の左上に表示されるように出力することを特徴とする。
【０００８】
そして、特定の番組情報に相当する番組情報を、複数の番組情報の出力(番組表)では表示画面の左上、つまり番組表の開始点に表示させることにより、ユーザが特定の番組情報を番組表から見つけやすくすることができる。
【０００９】
また、前記検索された番組情報のうち特定の番組情報を選択する選択手段と、
前記選択手段で選択された前記特定の番組情報が、前記検索された番組情報及び前記複数の番組情報の出力が同時に出力された場合に重複するか否かをチェックする出力チェック手段と、
【００１０】
前記出力手段のチェック結果により重複している場合には、前記特定の番組情報を、前記表示画面の左上に表示されるように出力することを特徴とする。
そして、検索された番組情報(検索結果)のうちいずれの番組情報を選択しても、検索された番組情報(検索結果)に重複することなく、複数の番組情報の出力(番組表)を表示させることができるので、ユーザは、検索結果と番組表との関連を容易に把握することができる。
【００１１】
また、前記複数の番組情報の出力のうち所定の番組情報に対して、既予約番組であることを示す出力を行うことを特徴とする。
そして、ユーザは、複数の番組情報の出力(番組表)を見るのみで、どの番組情報が既予約番組か判別できるので、検索された番組情報のうちの特定の番組情報に対して、例えば予約録画対象としようとした場合に、既予約番組と時間帯が重なっているか否かが容易に判別でき、ユーザにとっては、いずれかの予約キャンセル等の以降の処理が容易となる。
【発明の効果】
【００１２】
本発明によれば、ユーザが検索結果と検索結果の特定の番組を含む番組表との関連を容易に把握することができる。
【発明を実施するための最良の形態】
【００１３】
以下、図面を参照して本発明の実施の形態を説明する。
図１は、この実施の形態で説明する番組情報表示装置1000のブロック図を示している。
図１において、アンテナ1で受信したデジタル放送の信号(番組情報を含む)は、チューナ2に送られる。チューナ2では、制御CPU5の制御信号によってチューニング及びデジタル信号の復調が行われる。復調された信号は、デ・マルチプレクサ3により、MPEGデータ，音声データと番組情報に分離され、MPEGデータは、AVデコーダ4へ送られ、番組情報は、制御CPU5を介してメモリ10へ保存される。AVデコーダ4では、MPEGデータ，音声データをAV（映像／音声）信号に変換する。
【００１４】
一方、リモートコントロール8にて送信された信号は、受光部9で光電変換が行われ、制御CPU5にキー情報として送られる。制御CPU5は、入力されたキー情報(例えば、番組検索画面表示)をもとに、例えば、図２のような番組検索画面データ(画面上にも同じ画面が表示されることとなる)を作成し、OSD(On Screen Display)表示回路６に入力し、OSD信号を出力させる。AVデコーダ4で出力されたAV信号と、OSD表示回路6で出力されたOSD信号は、マルチプレクサ7でミックスされ、AV信号として出力される。これにより、図２に示す番組検索画面が表示される。
【００１５】
図３は、検索結果と番組表とを同時に表示した画面表示の一例を示す図である。
図３において、特徴的なのは、検索結果リスト30とともに番組表300が同時に表示されている点にある。
また、図７は、図３の画面400を表示する場合の制御CPU5のフローチャートである。これと合わせて説明する。
図３で特徴的な点は、検索結果リスト30の1段目に配置された番組(連続ドラマ「・・・」31)を自動的に番組表の先頭(左上)に表示される(連続ドラマ「・・・」35)とともに、該番組情報を起点として、以降の時間の番組情報が表示されているとともに、同一時間帯(10:00)の番組情報がチャンネル毎に配置されているとともに、番組表300と同時に検索結果リスト30が表示されていることである。
【００１６】
なお、初期設定として、検索結果リスト30の1段目の番組情報に相当する番組情報を自動的に番組表の左上に表示するのではなく、検索結果リスト30に複数の番組情報がある場合は、ユーザが検索結果リスト30のいずれかの番組情報を選択してから該選択に合わせて番組表の表示を変化させてもよい。
【００１７】
図３は、図２の番組検索画面にて、ユーザがリモートコントロール8を操作し、番組検索のキーワードとして、「ドラマ」を入力して指定し、その他の検索項目であるチャンネル，ジャンルについては指定しなかった場合で、該条件で検索を実行(リモートコントロール8で「検索」を指示)すると、図２の画面上の[検索]ボタンの表示を変化させる。同時に、制御CPU5は、メモリ10に保存されている番組情報に含まれる番組名や番組内容などからキーワード「ドラマ」という文言を含む番組情報を検索する(ステップS71)。メモリ10に記憶している全ての番組情報の検索が終了したら、検索にヒットした番組があるか否かをチェックし(ステップS72)、有の場合(Yesの場合)、検索該当番組をリストアップし、チャンネル情報や日時情報、番組名などを付加して、リスト化する(ステップS73)。このリストは、例えば、図３の検索結果リスト30に相当する。具体的には、キーワード「ドラマ」という文言を含む番組情報が3番組(連続ドラマ「・・・」31，韓国ドラマ32，ドラマチック)あり、現在時刻に近い順に配置される。
【００１８】
図３において、検索結果リスト30で1段目に配置された番組である連続ドラマ「・・・」31の日時情報及びチャンネル情報を、制御CPU5は、メモリ10から取得する(ステップS74)。そして、番組表300の表示開始日時を連続ドラマ「・・・」31の放送開始日時(7/2(火)10:00)に，番組表300のチャンネルの表示開始位置を連続ドラマ「・・・」31のチャンネル(6CH)に設定する。これを表示開始位置の基準にして番組表300を作成し(ステップS75)マルチプレクサ7から出力し、画面400に表示することにより図３で検索結果リスト30を除く画面を実現できる(ステップS76)。なお、番組表300は、時間帯を縦軸，チャンネルを横軸で構成される。もちろん、チャンネルを縦軸，時間帯を横軸で構成してもよい。さらに、検索結果リスト30で番組表300の表示位置の基準となっている番組である連続ドラマ「・・・」31が、番組表300の連続ドラマ「・・・」35であることがユーザに識別しやすいように、色を付ける(ステップS77)。この番組表300に検索結果リスト30を重畳させて表示する(ステップS78)。これにより、図３の画面が表示される。
【００１９】
さらに、検索結果リスト30を番組表300と同時に表示させるとともに、リストの先頭番組(連続ドラマ「・・・」35)にカーソルを設定している(ステップS79)。なお、カーソルは、は、ユーザが検索結果30内の複数の番組情報の中から1番組情報を選択できるようにするもので、ユーザがリモートコントロール8でさらに指示(例えば、録画予約)を行うと、予約録画対象とすることができるとともに、画面400の表示を変化させて番組表300では既予約番組36であることがユーザに示される。図３において、既予約番組36としては、連続ドラマ「・・・」，MLB(7CH，11:20スタート)，チャンネルβ(7CH，12:00スタート)，テレビシネマ(6CH，13:30スタート)がある。
【００２０】
図８は、番組表300の表示開始の基準を変更する、つまり表示させたい番組情報を変更する場合の制御CPU5のフローチャートである。
想定している状況としては、図３の状態から、ユーザが検索結果リスト30の連続ドラマ「・・・」31に代えて韓国ドラマ32(8CH，12:00-12:30)を選択した場合である。この場合、図３の番組表300では、連続ドラマ「・・・」31を基準としているため、図４のように検索結果リスト30で選択した韓国ドラマ32が番組表300では検索結果リスト30に隠れてユーザからは見えない状態となることがある。なお、図４において、番組表300の韓国ドラマ32は点線で示す部分に相当する。図４の状態から図５のように、検索結果リスト30で選択した韓国ドラマ32に対応する韓国ドラマ37が、番組表300の基準である左端に表示されるように制御するものである。
【００２１】
具体的には、ユーザがリモートコントロール8を操作しカーソルを検索結果リスト30の連続ドラマ「・・・」31からその下に表示されている次番組情報である韓国ドラマ32に移動された場合(ステップS81)、検索結果リスト30の韓国ドラマ32が番組表300内でユーザに見える位置か(番組表300内に表示されているか，検索結果リスト30で隠されていないか)どうかをチェックする(ステップS82)。これは、番組表300の表示中領域内に韓国ドラマ37の表示位置が含まれているかどうかと、韓国ドラマ37の表示位置が検索結果リスト30の表示位置と重複していないかどうかをチェックすることにより実現できる。
【００２２】
ステップS82でNoの場合、つまり韓国ドラマ37がユーザから見えない位置にある場合は、図３の連続ドラマ「・・・」35と同様に、韓国ドラマ37が番組表300の基準となる左上の位置に表示されるように番組表300を番組表310に変更(ステップS83)し、これを表示(ステップS84)し、検索結果リスト30の韓国ドラマ32に対応する番組表300の韓国ドラマ37に対して、ユーザに識別しやすいように、色を付ける(ステップS85)。なお、色を付ける以外に、斜線表示などの強調表示でもよい。
【００２３】
なお、ステップS82でYesの場合(番組表300で韓国ドラマ37がユーザに見える位置にある場合)、処理を終了するが、ユーザに見える位置にあっても、常に検索結果リスト30で選択された番組情報に対応する番組表310の番組情報を、番組表310の左上に表示させるようにしてもよい。
【００２４】
図６は、検索結果リスト30の表示例であり、図３，図４，図５では、3番組(連続ドラマ「・・・」31，韓国ドラマ32，ドラマチック38)を表示していたが、検索結果が3番組以上ある場合には、表示をずらし、連続ドラマ「・・・」31を消し、韓国ドラマ32，ドラマチックを1段ずつずらして表示し、3段目に検索結果として米国ドラマ60を表示している。
【００２５】
これらの表示は、矢印マーク65，66をユーザがリモートコントロール8から指示することに上下にスクロール表示することができる。
なお、図３，図４，図５では、検索結果リスト30を番組表300，310に重畳して表示させるようにしたが、画面400を分割し、画面400の右半分に検索結果リスト30，左半分に番組表300，310を表示させてもよい。もちろん、検索結果リスト30と番組表300，310とが左右でもよい。また、画面400の上半分に番組表300，310，下半分に検索結果リスト30を重複させずに表示させてもよい。もちろん、番組表300，310と検索結果リスト30とが上下逆でもよい。また、いずれの場合も、検索結果リスト30を番組表300，310の一部に重複させて表示させてもよい。
【図面の簡単な説明】
【００２６】
【図１】本発明の一実施の形態による番組情報表示装置の概略構成図。
【図２】同実施の形態にかかわる番組検索画面の一例を示す図。
【図３】同実施の形態にかかわる検索結果と番組表とを同時に表示した画面表示の一例を示す図。
【図４】同実施の形態にかかわる検索結果と番組表とを同時に表示した画面表示の一例を示す図。
【図５】同実施の形態にかかわる検索結果と番組表とを同時に表示した画面表示の一例を示す図。
【図６】同実施の形態にかかわる検索結果の一例を示す図。
【図７】検索結果と番組表を同時に表示する場合の制御CPUのフローチャート。
【図８】番組表の表示開始の基準を変更する場合の制御CPUのフローチャート。
【符号の説明】
【００２７】
5  制御CPU
8  リモートコントロール
10  メモリ
30  検索結果リスト
31，35  連続ドラマ「・・・」
32，37  韓国ドラマ
36  既予約番組
38，39  ドラマチック
60  米国ドラマ
300，310  番組表
400  画面
1000  番組情報表示装置
【図１】
2010074763.tif 000003
【図２】
2010074763.tif 000004
【図３】
2010074763.tif 000005
【図４】
2010074763.tif 000006
【図５】
2010074763.tif 000007
【図６】
2010074763.tif 000008
【図７】
2010074763.tif 000009
【図８】
2010074763.tif 000010